(57)【要約】【課題】  従来の拡開アンカーは拡開して取付けた場合に、コンクリートの穴と拡開アンカーの径の精度が合ってないとコンクリートに食い込み着止する力が弱く引き抜けることがある。  従って、後からコンクリートに穴を配設して取付けても埋込みアンカーに劣ることのない強力に配備することが可能でしかも従来の拡開アンカーより強力な着止力を有する拡開アンカーを提供するものである【解決手段】  この発明は図１のように主にコンクリートでなる取付基体Xに穴A配設して、この穴Aに筒体１の一方にネジ部２を設けて、他方に割部３を設けて、第一の拡開部４と第二の拡開部５を有した筒体１に拡開軸部７と拡開テ―パ軸８でなる約円錐状の軸６を筒体１の割部３に挿入するようにして拡開アンカーを構成している。【選択図】    図１
2006194395.tif 000002
【特許請求の範囲】
【請求項１】
筒体の一方にネジ部を設けて、他の一方に設けた割部と筒体の割部の径の中心部に突き出した段付部とからなる拡開部を二箇所、又は、三箇所設けた筒体の内部の下部に、約円錐状の軸を入れることで前記拡開部が拡開するようにしたことを特徴とした拡開アンカー。
【請求項２】
筒体の一方にネジ部を設けて、他の一方に設けた割部と筒体の割部の径の中心部に突き出した段付部とからなる拡開部を二箇所、又は、三箇所設けた筒体の内部の上部に、約円錐状の軸を入れることで前記拡開部が拡開するようにしたことを特徴とした拡開アンカー。
【発明の詳細な説明】
【技術分野】
【０００１】
この発明は主にコンクリートに用いるものでコンクリートに穴を配設した、その穴の中にこの発明の拡開アンカーを埋設させて、この拡開アンカーを拡開させることで、従来の拡開アンカーより強力に拡開させることができて、この拡開アンカーの上部に取付部材を取付けるもので、この利用は電気、機械、の製品の取付け、及び、建築等に使用することのできる拡開アンカーに関する。
【背景技術】
【０００２】
従来において、拡開アンカーの拡開は全て拡開部を一箇所としていたが、本発明は拡開部を二箇所、又は、三箇所とするために、従来の拡開アンカーとは構成が異なるようにしたもので、その中でも本発明に近い技術として、下記特許文献１から３などがある。
【０００３】
その中でも特許文献１は図示で示しているように拡開片６の内部に拡開本体１２が嵌り合って拡開片６を拡開させるためにある拡開部は端部の一つの部分であった。
【０００４】
拡開部を一箇所にして力を集中させるものは従来のものは、それらはコンクリートが柔らかったリ、脆かったり、耐久性に乏しかったりするとコンクリートなどの種々な条件にたいして、又は、コンクリートに穿設した場合に穴の内径は一定の内径にはならなく太くなるなどの条件に対しては、拡開部が一箇所では適用に充分ではない欠点を有しているものである。
【０００５】
又、特許文献２は文献１の欠点であるのを改善するために拡開片４の端部から拡開素子７を嵌め入れたときに拡開片４が厚いために拡開し難く圧接部分が少ないのを広くするために、拡開片４の元部に向って薄くして、薄くした部分を補充するために可塑性ヒンジ部５を入れて補充しているが拡開片４に拡開素子７を入れて圧接部分を広くするようにして拡開片４は基礎構造物に食い込んで行くものであるが、このものも拡開部が一箇所である。
【０００６】
従って、拡開部を一箇所にして力を集中させるものは従来のものは、それらはコンクリートが柔らかったリ、脆かったり、耐久性に乏しかったりするとコンクリートなどの種々な条件にたいして、又は、コンクリートに穿設した場合に穴の内径は一定の内径にはならなく太くなるなどの条件に対しては、拡開部が一箇所では適用に充分ではない欠点を有しているものである。
【０００７】
特許文献３は外筒１を案内体として内筒４を入れて、該内筒を拡開させる拡張駒３を棒上部材５を入れて打ち込んだ後に、その上部からナット部２が浮き上がらないようにしたもので、このものも拡開部は一箇所であり文献１と同じような欠点を有するものである。
【０００８】
【特許文献１】特開２０００−１３０４１６
【特許文献２】特開２０００−１３０４１５
【特許文献３】特開２００４−１３２１４５
【発明の開示】
【発明が解決しようとする課題】
【０００９】
この発明は主にコンクリートに使用するものに埋込みアンカーがあるが、このものはコンクリートの設置と同時に埋込アンカーを埋込み配設しなければならないので手間がかかるばかりか、コンクリートの設置後は埋込アンカーの取付けはできなくなるものであった。
【００１０】
又、従来の拡開アンカーは拡開して取付けた場合に、コンクリートの穴と拡開アンカーの径の精度が合ってない等でコンクリートに食い込み着止する力が弱く引き抜けることがあった。
【００１１】
従って、この発明の目的はコンクリートを配設した後においても、後からコンクリートに穴を配設して取付けても埋込みアンカーに劣ることのない強力に配備することが可能でしかも従来の拡開アンカーより主にコンクリート等に強力に取付かる着止力を有する拡開アンカーを提供することにある。
【課題を解決するための手段】
【００１２】
前記目的の第一の発明は、筒体の一方にネジ部を設けて、他の一方に設けた割部と筒体の割部の径の中心部に突き出した段付部とからなる拡開部を二箇所、又は、三箇所設けた筒体の内部の下部に、約円錐状の軸を入れることで前記拡開部が拡開するようにしたことを特徴とした拡開アンカーによって達成される。
【００１３】
前記目的の第二の発明は、筒体の一方にネジ部を設けて、他の一方に設けた割部と筒体の割部の径の中心部に突き出した段付部とからなる拡開部を二箇所、又は、三箇所設けた筒体の内部の上部に、約円錐状の軸を入れることで前記拡開部が拡開するようにしたことを特徴とした拡開アンカーによって達成される。
【発明の効果】
【００１４】
この発明は主にコンクリートに使用するものに埋込みアンカーがあるが、このものはコンクリートの設置と同時にアンカーを埋込み配設しなければならないので手間がかかるばかりか、コンクリートの設置後は取付けができなくなるものであった。
【００１５】
又、従来の拡開アンカーは拡開して取付けた場合に、コンクリートの穴と拡開アンカーの径の精度が合っていなかつたり、曲がつて取り付くことがあってコンクリートに食い込み着止する力が弱く引き抜けることがあった。
【００１６】
従って、それらを解決するために、筒体の一方にネジ部を設けて、他の一方に割部を設けた該割部に二つ又は三つの拡開部を設けた筒体の内部の下部から約円錐状の軸を入れることで、前記拡開部が拡開する拡開アンカーとするものである。
【００１７】
又、筒体の一方にネジ部を設けて、他の一方に割部を設けた該割部に二つ又は三つの拡開部を設けた筒体の内部の上部から約円錐状の軸を入れることで、前記拡開部が拡開する拡開アンカーとするものである。
【００１８】
このように拡開部となる支点が二箇所又は三箇所になると、一箇所よりも相手コンクリート面に食い入る力が強力になり食い込み、食い込み量と着止力は大きくなって取付基体Ｘに取り付くことができるようになった。
【００１９】
拡開部を一箇所にして力を集中させるものは従来において行なわれていたが、それらはコンクリートが柔らかったリ、脆かったり、耐久性に乏しかったりするとコンクリートなどの種々な条件にたいして、又は、コンクリートに穿設した場合に穴の内径は一定の内径にはならなく太くなるなどの条件に対しては、拡開部が一箇所では適用に充分ではなかった。
【００２０】
そのようなところに使用しても充分に耐えられるように拡開部を二箇所、又は、三箇所設けることで拡開部が局部的に集中して拡開される力が約２倍以上になるので、コンクリート壁などに強力に食い込み拡開アンカーの上下でセンターの埋設による曲がりもなくなって、拡開アンカーが安定的に着止するように取付けすることが可能になるものである。
【００２１】
拡開部を二箇所、又は、三箇所にすることは取付基体Ｘの穴のセンターに一致して筒体を取付基体Ｘに取付けることができるようになるものである。
【００２２】
従来の拡開アンカーのように拡開部が一箇所であると、センターと一致せず傾いて取り付かる場合が多くあり、このように傾いていると取付部材を筒体に取付けた後において、経時変化等によってコンクリートと筒体にガタツキが生じて、筒体が抜け出すことが発生する。
【００２３】
これを防止するためにも拡開部を二箇所、又は、三箇所にするものである。
【００２４】
従って、従来の拡開アンカーの欠点を補うことのできる拡開アンカーが得られるものである。
【００２５】
従来の埋込アンカーのように始めからコンクリートに埋込んだように、この発明の拡開アンカーを使用すると抜け出す力が加わっても抜けなくなり、建築などの工事に使用しても、その用途に好適な拡開アンカーとなるものである。
【発明を実施するための最良の形態】
【００２６】
この発明の拡開アンカーは主にコンクリートに穴を配設した内部に筒体を埋み込みして、該筒体をコンクリートに埋設した先端を拡開させて、コンクリートの周囲部を破壊しながらコンクリートに強力に食い込むので従来の拡開アンカーよりもコンクリートから抜け出すことがないようにした拡開アンカーにするものである。
【００２７】
筒体がコンクリートに食い込み易くするように筒体の割部側の二箇所又は三箇所が同時、又は、別々に拡開してコンクリートに食い込むものである。
【００２８】
筒体がコンクリートに食い込み易い状態として、筒体の最下部から拡開し易い二箇所又は三箇所の当り面を有する形状にしたものに拡開軸部と拡開テ―パ軸でなる約円錐状の軸を筒体の割部にはめ入れることで筒体の下部を強力に拡開させてコンクリートに食い込むようにしたものである。
【００２９】
又、更に拡開し易い二箇所、又は、三箇所の当り面を有する形状にした筒体の割部に上部から下部に向って約円錐状のテーパ軸を打ち込み入れることで拡開させコンクリートに食い込み入れることにある。
【００３０】
このようにした筒体の上部に設けたネジ部に雄ネジ体、又は、雌ネジ体を螺合して取付部材を取付することによって、この発明の拡開アンカーが成り立つものである。
【実施例】
【００３１】
本発明を図示に従って説明すると、図１は主にコンクリートでなる取付基体Ｘに穴Ａを配設して、筒体１の一方にネジ部２を設け他方に割部３を設けて、筒体１の割部３の径の中心部に突き出した段付部でなる第一の拡開部４と、筒体１の割部３でなる第二の拡開部５を有した筒体１に、拡開軸部７と拡開テ―パ軸８でなる約円錐状の軸６を筒体１の割部３の内部に挿入するようにしたものを、穴Ａに入れて筒体１の割部３を拡開するようにして拡開アンカーを構成する。
【００３２】
このようにしたものの筒体１の最上部９をコンクリートに打込みなどでコンクリートに埋設する、その過程において、拡開部４と拡開部５が拡開しながら該拡開部はコンクリートに食い込み入り込むようになる。
【００３３】
このように拡開部となる支点が二箇所であると、一箇所よりも相手コンクリート面に食い入る力が強力になり食い込む量と、食い込む力は大きくなって取付基体Ｘに着止することができるようになる。
【００３４】
従って、従来の埋込アンカーのように始めからコンクリートに埋設した場合とおなじように、この発明の拡開アンカーを使用すると抜け出す力が加わっても抜けなくなり、建築などの工事に使用しても、その用途に好適な拡開アンカーとなるものである。
【００３５】
約円錐状の軸６で筒体１の拡開部４と拡開部５を拡開する順序は、その用途によって同時、又は、別々にずらして行なうようにしてもこの発明は成り立つものである。
【００３６】
図７は本発明の他の応用例であって、これはネジ１２を筒体１１の外部に設けることにおいて、筒体１１の内部構成を変えて、拡開部を第一の拡開部１４と第二の拡開部１５のように設ける。
【００３７】
その内部に先端を約円錐状の軸１６を筒体１１の内部に打込み入ることで、図１と同じように図８で示す如くコンクリートに強力に食い入り込むことができるものである。
【００３８】
この発明によっても、このように拡開部となる支点が二箇所になると、一箇所よりも相手コンクリート面に食い入る力が強力になり食い込む量と食い込む力は大きくなって取付基体Ｘに着止することができるようになるものである。
【００３９】
従って、従来の埋込アンカーのように始めからコンクリートに埋め込んだように、この発明の拡開アンカーを使用すると抜け出す力が加わっても抜けなくなり、建築などの工事に使用しても、その用途に好適な拡開アンカーとなるものである。
【００４０】
図７では約円錐状の軸１６を長くして頭まで設けた図にしたが、この約円錐状の軸１６は頭側を短くして、筒体の内部に埋め込み入るように設けることもできるものである。
【００４１】
図１２は図７の筒体の割部と約円錐状の軸に設けた拡開部の間に拡開部３０と拡開軸２０を設けるもので、筒体の割部の上部から拡開する内部に三段状にした約円錐状の軸２６を入れることによって、拡開部を三箇所にすることができることによっても、この発明が成り立つものである。
【００４２】
図１や図７や図１２のような拡開部を拡開するのは筒体の割部に約円錐状の軸の拡開軸部が入って拡開されるものである。
【００４３】
この発明の一つは割部の元の部分が段付部でなる拡開部より薄いので割部となる元と割部の先端が曲がり主にコンクリートに食い込み易くするものである。
【００４４】
拡開部を一箇所にして力を集中させるものは従来において行なわれていたが、それらはコンクリートが柔らかったリ、脆かったり、耐久性に乏しかったりするとコンクリートなどの種々な条件にたいして従来のように拡開部が一箇所では適用に充分ではなかった。
【００４５】
又、コンクリートに穿設した場合に穴の内径は一定の内径にはならなく太くなるので、従来は拡開アンカーをコンクリートに取付け後にコンクリートの穴のセンターに対して、拡開アンカーのセンターの傾きが一致しないなどで、取付けた後使用中にガタを生じるなど、従来のように拡開部が一箇所では適用に充分ではなかった。
【００４６】
そのようなところに使用しても充分に耐えられるように従来の拡開アンカーとは構成が異なるようにして拡開部を二箇所、又は、三箇所設けることで拡開部に局部的な力が集中して拡開するもので、拡開する力が約２倍以上になるようにしたものである。
【００４７】
コンクリート壁などに強力に食い込み拡開アンカーの上下のセンターの埋設による曲がりもなくなって、拡開アンカーが安定的に着止するように取付けすることが可能にしたものである。
【００４８】
従って、従来の拡開アンカーの欠点を補うことのできる拡開アンカーが得られるものである。
【図面の簡単な説明】
【００４９】
【図１】本発明の拡開アンカーの一実施例を示す要部断面図。
【図２】図１の筒体を示す要部断面図。
【図３】図２の筒体の左側面図。
【図４】図２の筒体の右側面図。
【図５】図１の約円錐状の軸の正面図。
【図６】図１の約円錐状の軸の左側面図。
【図７】本発明の拡開アンカーの他の応用例を示す要部断面図。
【図８】図７の拡開アンカーを取付基体Ｘに取付けした場合の要部断面図。
【図９】図７の筒体の要部断面図。
【図１０】図９の筒体の左側面図。
【図１１】図７の約円錐状の軸の正面図。
【図１２】本発明の拡開アンカーの他の応用例であって、拡開部を三箇所にした場                合の拡開部が拡開した状態を示す要部断面図。
【符号の説明】
【００５０】
１．１１．２１：筒体
２. １２：ネジ部
３．１３：割部
４．１４．２４．３０：拡開部
５．１５．２５：拡開部
６．１６．２６：約円錐状の軸
７．１７．２７：拡開軸部
８．１８：拡開テ―パ軸
Ａ：穴
Ｙ：取付部材
Ｘ：取付基体
【図１】
2006194395.tif 000003
【図２】
2006194395.tif 000004
【図３】
2006194395.tif 000005
【図４】
2006194395.tif 000006
【図５】
2006194395.tif 000007
【図６】
2006194395.tif 000008
【図７】
2006194395.tif 000009
【図８】
2006194395.tif 000010
【図９】
2006194395.tif 000011
【図１０】
2006194395.tif 000012
【図１１】
2006194395.tif 000013
【図１２】
2006194395.tif 000014